(57)【要約】【課題】投影光の光路上に熱風が流れるのを効率よく防止することができ、または外部の障害物によって特定の箇所が冷却されなくなるのを防止することができるプロジェクタを提供する。【解決手段】画像処理部９６は、外部から入力される映像信号に基づく第１の画像を生成する。画像処理部９６は、マニュアルモード時には、ユーザによる第１のファン２４および第２のファン２６の向きの変更操作のためのグラフィカルインタフェースと、現在の第１のファン２４および第２のファン２６の向きに対応するプロジェクタ内部の空気の流れと、第１〜第４の温度センサ９７，９１，９３，９５で検出された温度に基づくプロジェクタの内部の温度とを表わす第２の画像を生成して、第１の画像の上に重畳し、重畳した画像を出力する。【選択図】図６
2008309953.tif 000002
【特許請求の範囲】
【請求項１】
光源と、外部から入力される映像信号に基づく第１の画像を生成する画像処理部と、前記画像処理部から出力される画像に従って前記光源から出力される光を空間的に変調し、スクリーンに投射する投光ユニットと、内部を冷却するためのファンと、吸気口と、排気口とを備えたプロジェクタにおいて、
温度センサと、
前記ファンの向きの手動操作が可能なマニュアルモード時に、ユーザからの前記ファンの向きの変更操作を受け付ける操作入力部とを備え、
前記ファンは、前記マニュアルモード時に、前記ユーザの変更操作に従って、その向きを変更し、
前記画像処理部は、前記マニュアルモード時に、ユーザによるファンの向きの変更操作のためのグラフィカルインタフェースと、現在のファンの向きに対応するプロジェクタ内部の空気の流れと、前記温度センサで検出された温度に基づく前記プロジェクタの内部の温度とを表わす第２の画像を生成して、前記第１の画像の上に重畳し、前記重畳した画像を出力し、
前記投光ユニットは、前記マニュアルモード時に、重畳された画像に従って光を空間的に変調することにより、前記第２の画像をオンスクリーン表示し、
前記吸気口および前記温度センサは、それぞれ複数個あって、前記温度センサは、対応の前記吸気口付近に配置されている、プロジェクタ。
【請求項２】
光源と、外部から入力される映像信号に基づく第１の画像を生成する画像処理部と、前記画像処理部から出力される画像に従って前記光源から出力される光を空間的に変調し、スクリーンに投射する投光ユニットと、内部を冷却するためのファンと、吸気口と、排気口とを備えたプロジェクタにおいて、
温度センサと、
前記ファンの向きの手動操作が可能なマニュアルモード時に、ユーザからの前記ファンの向きの変更操作を受け付ける操作入力部とを備え、
前記ファンは、前記マニュアルモード時に、前記ユーザの変更操作に従って、その向きを変更し、
前記画像処理部は、前記マニュアルモード時に、ユーザによるファンの向きの変更操作のためのグラフィカルインタフェースと、現在のファンの向きに対応するプロジェクタ内部の空気の流れと、前記温度センサで検出された温度に基づく前記プロジェクタの内部の温度とを表わす第２の画像を生成して、前記第１の画像の上に重畳し、前記重畳した画像を出力し、
前記投光ユニットは、前記マニュアルモード時に、重畳された画像に従って光を空間的に変調することにより、前記第２の画像をオンスクリーン表示する、プロジェクタ。
【請求項３】
光源と、外部から入力される映像信号に基づく第１の画像を生成する画像処理部と、前記画像処理部から出力される画像に従って前記光源から出力される光を空間的に変調し、スクリーンに投射する投光ユニットと、内部を冷却するためのファンと、吸気口と、排気口とを備えたプロジェクタにおいて、
前記ファンの向きの手動操作が可能なマニュアルモード時に、ユーザからの前記ファンの向きの変更操作を受け付ける操作入力部を備え、
前記ファンは、前記マニュアルモード時に、前記ユーザの変更操作に従って、その向きを変更し、
前記画像処理部は、前記マニュアルモード時に、ユーザによるファンの向きの変更操作のためのグラフィカルインタフェースと、現在のファンの向きに対応するプロジェクタ内部の空気の流れとを表わす第２の画像を生成して、前記第１の画像の上に重畳し、前記重畳した画像を出力し、
前記投光ユニットは、前記マニュアルモード時に、重畳された画像に従って光を空間的に変調することにより、前記第２の画像をオンスクリーン表示する、プロジェクタ。
【発明の詳細な説明】
【技術分野】
【０００１】
本発明は、プロジェクタに関し、特に内部の空気の流れを制御することができるプロジェクタに関する。
【背景技術】
【０００２】
従来から、パソコンやビデオカメラなどの信号を入力して、それらの画像を前方に配置されたスクリーン上に投影するプロジェクタが実用に供せられている。特許文献１〜３には、吹き出し口から出力される空気の流れを制御することができるプロジェクタが開示されている。
【０００３】
特許文献１に記載のブロジェクタには、冷却ファンの風下に液晶パネル部への冷却風の吹き出し位置を制御する開閉自在の扉を有するルーパが設けられている。これによって、プロジェクタの光源電源オフ後の強制空冷期間を利用し、液晶パネルへの送風量を自動的に増加させることができ、液晶パネル部の表面から塵を効率よく強制排出することができる。
【０００４】
また、特許文献２に記載のプロジェクタには、装置外装ケースの前面における投影レンズと吹き出し口との間に位置する軸の回りに回動自在のレンズカバーが設けられている。これによって、画像の投影時に、レンズカバーを開いて、レンズカバーを軸回りに回転させて、吹き出し口から排出される熱風が投影光の光路上に流れ込むのが遮られ、投影画像上のゆらぎの発生を防止することができる。
【０００５】
また、特許文献３に記載のイベント用プロジェクタには、ファンの下流側に、空気の排出方向を寄生する排気ガイドが設けられている。人感センサによって入場者が検知された場合に、排気ガイドは、排気方向を左右に変更しながら、排気を行なう。これによって、プロジェクタの排気を利用して、イベントの演出効果を高めることができる。
【特許文献１】特開２００２−３５０８０６号公報
【特許文献２】実用新案登録第３０９２８８９号公報
【特許文献３】特開２００６−１０６４６１号公報
【発明の開示】
【発明が解決しようとする課題】
【０００６】
ところで、プロジェクタには、特許文献２で課題とされたような投影光の光路上に熱風が流れ込むという問題、あるいはプロジェクタを障害物の近辺に設置することにより特定の吸気口または排気口が障害物により塞がれることによって、空気の流れに異常が起こり、特定の箇所が冷却されないという問題がある。
【０００７】
特許文献１および特許文献３に記載のプロジェクタでは、このような２つの問題を解決することができない。
【０００８】
また、特許文献２に記載のプロジェクタでは、後者の問題を解決することができない。また、前者の問題についても、ある程度は解決することができるが、十分ではない。なぜなら、レンズカバーが十分に大きなものでないと、熱風を遮ることができないからである。レンズカバーを大きくすると、プロジェクタ全体の大きさも大きくせざるをえなくなる。
【０００９】
それゆえに、本発明の目的は、投影光の光路上に熱風が流れるのを効率よく防止することができ、または外部の障害物によって特定の箇所が冷却されなくなるのを防止することができるプロジェクタを提供することである。
【課題を解決するための手段】
【００１０】
上記課題を解決するために、本発明は、光源と、外部から入力される映像信号に基づく第１の画像を生成する画像処理部と、画像処理部から出力される画像に従って光源から出力される光を空間的に変調し、スクリーンに投射する投光ユニットと、内部を冷却するためのファンと、吸気口と、排気口とを備えたプロジェクタにおいて、温度センサと、ファンの向きの手動操作が可能なマニュアルモード時に、ユーザからのファンの向きの変更操作を受け付ける操作入力部とを備え、ファンは、マニュアルモード時に、ユーザの変更操作に従って、その向きを変更し、画像処理部は、マニュアルモード時に、ユーザによるファンの向きの変更操作のためのグラフィカルインタフェースと、現在のファンの向きに対応するプロジェクタ内部の空気の流れと、温度センサで検出された温度に基づくプロジェクタの内部の温度とを表わす第２の画像を生成して、第１の画像の上に重畳し、重畳した画像を出力し、投光ユニットは、マニュアルモード時に、重畳された画像に従って光を空間的に変調することにより、第２の画像をオンスクリーン表示し、吸気口および温度センサは、それぞれ複数個あって、温度センサは、対応の吸気口付近に配置されている。
【００１１】
また、本発明は、光源と、外部から入力される映像信号に基づく第１の画像を生成する画像処理部と、画像処理部から出力される画像に従って光源から出力される光を空間的に変調し、スクリーンに投射する投光ユニットと、内部を冷却するためのファンと、吸気口と、排気口とを備えたプロジェクタにおいて、温度センサと、ファンの向きの手動操作が可能なマニュアルモード時に、ユーザからのファンの向きの変更操作を受け付ける操作入力部とを備え、ファンは、マニュアルモード時に、ユーザの変更操作に従って、その向きを変更し、画像処理部は、マニュアルモード時に、ユーザによるファンの向きの変更操作のためのグラフィカルインタフェースと、現在のファンの向きに対応するプロジェクタ内部の空気の流れと、温度センサで検出された温度に基づくプロジェクタの内部の温度とを表わす第２の画像を生成して、第１の画像の上に重畳し、重畳した画像を出力し、投光ユニットは、マニュアルモード時に、重畳された画像に従って光を空間的に変調することにより、第２の画像をオンスクリーン表示する。
【００１２】
また、本発明は、光源と、外部から入力される映像信号に基づく第１の画像を生成する画像処理部と、画像処理部から出力される画像に従って光源から出力される光を空間的に変調し、スクリーンに投射する投光ユニットと、内部を冷却するためのファンと、吸気口と、排気口とを備えたプロジェクタにおいて、ファンの向きの手動操作が可能なマニュアルモード時に、ユーザからのファンの向きの変更操作を受け付ける操作入力部を備え、ファンは、マニュアルモード時に、ユーザの変更操作に従って、その向きを変更し、画像処理部は、マニュアルモード時に、ユーザによるファンの向きの変更操作のためのグラフィカルインタフェースと、現在のファンの向きに対応するプロジェクタ内部の空気の流れとを表わす第２の画像を生成して、第１の画像の上に重畳し、重畳した画像を出力し、投光ユニットは、マニュアルモード時に、重畳された画像に従って光を空間的に変調することにより、第２の画像をオンスクリーン表示する。
【発明の効果】
【００１３】
本発明のプロジェクタによれば、投影光の光路上に熱風が流れるのを効率よく防止することができ、または外部の障害物によって特定の箇所が冷却されなくなるのを防止することができる。
【発明を実施するための最良の形態】
【００１４】
以下、本発明に係る実施の形態について図面を参照して説明する。
［第１の実施形態］
（構成）
図１は、第１の実施形態のプロジェクタの構成を表わす図である。
【００１５】
図１を参照して、このプロジェクタは、光源１６、投光ユニット１８、第１のファン２４、第２のファン２６、温度センサ１２、操作入力部１４、吸気口２８，３０，３２、排気口３４、およびメインボード２を備える。
【００１６】
メインボード２は、Ａ／Ｄ変換部４と、画像処理部６と、メモリ８と、ＣＰＵ１０（Central Processing Unit)とを含む。
【００１７】
操作入力部１４は、ユーザからの第１のファン２４および第２のファン２６の向きの変更操作の入力を受けて、ＣＰＵ１０に出力する。具体的には、操作入力部１４は、左ボタン３６と、右ボタン３８と、ファン制御ボタン４２と、タッチパッド４０とを含む。
【００１８】
温度センサ１２は、配置された箇所の温度を検出して、検出信号をＣＰＵ１０に出力する。
【００１９】
Ａ／Ｄ変換部４は、外部から入力されるビデオ信号またはパソコンの信号などのアナログの映像信号をデジタル化する。
【００２０】
画像処理部６は、Ａ／Ｄ変換部４から出力されるデジタル化されたデータからスクリーンの大きさに合わせた第１の画像（つまり、ビデオまたはパソコンの画像）を生成する。また、画像処理部６は、ファン制御モード時には、ＣＰＵ１０の指示にしたがって、ユーザによるファンの向きの変更操作のためのグラフィカルインタフェースと、現在のファンの向きに対応するプロジェクタ内部の空気の流れ（たとえば、吸気口２８，３０，３２付近および排気口３４付近の空気の流れ）とを表わす第２の画像を生成する。画像処理部６は、ファン制御モード時には、第１の画像の上に第２の画像を重畳した画像を出力し、ファン非制御モード時には、第１の画像を出力する。ファン制御モードとは、ファンの向きが制御可能なモードであり、ファン非制御モードとは、ファンの向きの制御が不可能なモードである。ファン制御モードには、温度センサ１２で検出した温度に従って自動的にファンの向きが制御される自動モードと、ユーザが操作入力部１４を通じてファンの向きを制御できるマニュアルモードとがある。
【００２１】
光源１６から出力された光は、投光ユニット１８に送られる。
投光ユニット１８は、画像処理部６から出力される画像に従って光源１６から出力される光を空間的に変調し、前方に配置されたスクリーンに投射する。投光ユニット１８は、具体的には、ＤＭＤ２０（Digital Mirror Device）および投射レンズ２２を含む。ＤＭＤ２０は、個別に制御される複数のマイクロミラーを備える。各ミラーは１画素に相当する。ミラーは、オンのときには光源１６からの光を外部に反射し、オフのときには光源１６からの光を外部に反射しない。
【００２２】
ファン制御モード時には、第１の画像の上に第２の画像が重畳された画像に従って光が空間的に変調されることにより、ビデオまたはパソコンの画像（第１の画像）の上に第２の画像がオンスクリーン表示される。また、ファン非制御モード時には、第１の画像に従って光が空間的に変調されることにより、ビデオまたはパソコンの画像（第１の画像）が表示される。
【００２３】
第１のファン２４および第２のファン２６は、吸気口２８，３０，３２から筐体内部に流入した空気を、光源１６および光源１６の周辺部に送る。空気は、光源１６および光源１６の周辺部を冷却した後、排気口３４から排出される。第１のファン２４および第２のファン２６は、ファン制御モード時には、ＣＰＵ１０からの指示にしたがって、その向きを変更する。
【００２４】
図２は、第１のファン２４の構造を表わす図である。第２のファン２６の構造もこれと同様である。
【００２５】
図２を参照して、モータ５０にウオームギア５２が取り付けられ、平歯の歯車５４が軸５６に取りつけれている。ＣＰＵ１０の制御でモータ５０が回転すると、ウオームギア５２と歯車５４によって軸５６が回転し、第１のファン２４の向きが変化する。軸５６は、プロジェクタの筐体内部に設置されたベース５８に固定されている。
【００２６】
再び、図１を参照して、ＣＰＵ１０は、ファン制御モードとファン非制御モードの切替えを行なう。具体的には、ＣＰＵ１０は、ファン制御ボタン４２がオンにされると、ファン制御モードに切替え、ファン制御ボタン４２がオフにされると、ファン非制御モードに切替える。
【００２７】
ＣＰＵ１０は、ファン制御モードにおいて、さらにマニュアルモードと自動モードの切替えを行なう。具体的には、ＣＰＵ１０は、タッチパッド４０および左ボタン３６を通じてマニュアルモードが選択されると、第１のファン２４および第２のファン２６の制御をマニュアルモードに設定し、タッチパッド４０および左ボタン３６を通じて自動モードが選択されると、第１のファン２４および第２のファン２６の制御を自動モードに設定する。
【００２８】
ＣＰＵ１０は、ファン制御モード時には、現在の第１のファン２４および第２のファン２６の向きに対応するプロジェクタ内部の空気の流れを表わすデータをメモリ８から読み出して、画像処理部６に出力する。
【００２９】
ＣＰＵ１０は、自動モード時には、温度センサ１２で検出された温度に対応する第１のファン２４および第２のファン２６の最適な向きを表わすデータをメモリ８から読み出して、その向きに第１のファン２４および第２のファン２６の方向が一致するように、それぞれのモータ５０を制御して第１のファン２４および第２のファン２６を軸５６の回りに回転させる。
【００３０】
ＣＰＵ１０は、マニュアルモード時には、ユーザが指定した向きに第１のファン２４および第２のファン２６の方向が一致するように、それぞれのモータ５０を制御して第１のファン２４および第２のファン２６を軸５６の回りに回転させる。
【００３１】
メモリ８は、第１のファン２４および第２のファン２６の向きに対応するプロジェクタの内部の空気の流れを表わすデータ、および温度センサ１２で検出された温度に対応する第１のファン２４および第２のファン２６の最適な向きを表わすデータを記憶する。これらのデータは、予め実験または流体シミュレーションによって導出されたものである。
【００３２】
図３（ａ）〜（ｃ）は、図１のプロジェクタの各部の配置を表わす図である。
図３（ａ）〜（ｃ）を参照して、プロジェクタの前方に排気口３４が設けられ、３つの吸気口２８，３０，３２が左、右、後方に設けられている。温度センサ１２は、光源１６の周辺に配置されている。第１のファン２４および第２のファン２６は、光源１６の近辺に配置されている。図３（ａ）は、通常時の第１のファン２４および第２のファン２６の向きを表わす。図３（ｂ）は、マニュアルまたは温度に基づく自動制御で第１のファン２４の向きが変化した状態を表わす。図３（ｃ）は、マニュアルまたは温度に基づく自動制御で第１のファン２４および第２のファン２６の向きが変化した状態を表わす。
【００３３】
図４（ａ）〜（ｃ）は、ファン制御モード時に、オンスクリーン表示される第２の画像を表わす図である。図４（ａ）〜（ｃ）を参照して、第２の画像は、グラフィカルインタフェース６２ａ，６２ｂ，６２ｃと、現在の第１のファン２４および第２のファン２６の向きに対応するプロジェクタ内部の空気の流れ６４ａ，６４ｂ，６４ｃとを表わしている。
【００３４】
図４（ａ）は、第１のファン２４および第２のファン２６の向きを０度に設定したとき（通常時である、正面方向に向かう向き）の空気の流れ６４ａを表わす。図４（ｂ）は、第１のファン２４の向きを＋５度に設定し、かつ第２のファン２６の向きを０度に設定したときの空気の流れ６４ｂを表わす。図４（ｃ）は、第１のファン２４および第２のファン２６の向きを＋５度に設定したときの空気の流れ６４ｃを表わす。
【００３５】
このように、ユーザは、第１のファン２４および第２のファン２６の向きを変更した場合に、空気の流れがどのように変化するかを視覚で認識することができるので、たとえば、投影光の光路上に熱風が流れて、スクリーンに表示される画像にゆらぎが見られるような場合でも、ユーザは、第１のファン２４および第２のファン２６の向きを適切な方向に変更することができる。
【００３６】
（動作手順）
図５は、第１の実施形態のプロジェクタの動作手順を表わすフローチャートである。
【００３７】
図５を参照して、まず、ユーザがファン制御ボタン４２をオンにしない場合には（ステップＳ１００でＮＯ）、画像処理部６および投光ユニット１８によって、ビデオまたはパソコンの画像である第１の画像が表示される（ステップＳ１０１）。ユーザがファン制御ボタン４２をオンにすると（ステップＳ１００でＹＥＳ）、ＣＰＵ１０は、ファン制御モード（そのうちのマニュアルモード）に設定する（ステップＳ１０２）。ＣＰＵ１０、画像処理部６および投光ユニット１８によって、ユーザによる第１のファン２４および第２のファン２６の向きの変更操作のためのグラフィカルインタフェースと、現在の第１のファン２４および第２のファン２６の向き（つまり、０度）に対応するプロジェクタの空気の流れとを表わす第２の画像がオンスクリーン表示される（ステップＳ１０３）。
【００３８】
ユーザが、タッチパッド４０と左ボタン３６を通じて、マニュアルモードから自動モードへの切替え選択すると（ステップＳ１０４でＹＥＳ）、ＣＰＵ１０は、モードを自動モードに切替える（ステップＳ１０５）。ＣＰＵ１０は、温度センサ１２で検出された温度に対応する第１のファン２４および第２のファン２６の最適な向きに、第１のファン２４および第２のファン２６の方向が一致するように、それぞれのモータ５０を制御して第１のファン２４および第２のファン２６を軸５６の回りに回転させる（ステップＳ１０６）。
【００３９】
一方、マニュアルモード時において、ユーザがタッチパッド４０と左ボタン３６を通じて、第１のファン２４および第２のファン２６の向きの変更を指定すると（ステップＳ１０７でＹＥＳ）、ＣＰＵ１０は、ユーザが指定した向きに第１のファン２４および第２のファン２６の方向が一致するように、それぞれのモータ５０を制御して第１のファン２４および第２のファン２６を軸５６の回りに回転させる（ステップＳ１０８）。
【００４０】
その後、ＣＰＵ１０、画像処理部６および投光ユニット１８によって、ユーザによる第１のファン２４および第２のファン２６の向きの変更操作のためのグラフィカルインタフェースと、現在の第１のファン２４および第２のファン２６の向きに対応するプロジェクタ内部の空気の流れとを表わす第２の画像がオンスクリーン表示される（ステップＳ１０９）。
【００４１】
以上のように、第１の実施形態のプロジェクタによれば、ユーザの指示にしたがってファンの向きを変更可能とし、かつファンの向きに対する空気の流れを表示することによって、たとえば投影光の光路上に熱風が流れないように、ユーザはマニュアル操作によってファンの向きを適切に調整することができる。
【００４２】
［第２の実施形態］
（構成）
図６は、第２の実施形態のプロジェクタの構成を表わす図である。
【００４３】
図６を参照して、このプロジェクタ８１は、光源１６、投光ユニット１８、第１のファン２４、第２のファン２６、第１の温度センサ９７、第２の温度センサ９１、第３の温度センサ９３、第４の温度センサ９５、操作入力部１４、吸気口２８，３０，３２、排気口３４、およびメインボード９２を備える。
【００４４】
メインボード９２は、Ａ／Ｄ変換部４と、画像処理部９６と、メモリ８と、ＣＰＵ９０（Central Processing Unit)とを含む。
【００４５】
操作入力部１４は、ユーザからの第１のファン２４および第２のファン２６の向きの変更操作の入力を受けて、ＣＰＵ９０に出力する。具体的には、操作入力部１４は、左ボタン３６と、右ボタン３８と、ファン制御ボタン４２と、タッチパッド４０とを含む。
【００４６】
第１の温度センサ９７、第２の温度センサ９１、第３の温度センサ９３および第４の温度センサ９５は、配置された箇所の温度を検出して、検出信号をＣＰＵ９０に出力する。
【００４７】
Ａ／Ｄ変換部４は、外部から入力されるビデオ信号またはパソコンの信号などのアナログの映像信号をデジタル化する。
【００４８】
画像処理部９６は、Ａ／Ｄ変換部４から出力されるデジタル化されたデータからスクリーンの大きさに合わせた第１の画像（つまり、ビデオまたはパソコンの画像）を生成する。また、画像処理部９６は、ファン制御モード時には、ＣＰＵ９０の指示にしたがって、ユーザによる第１のファン２４および第２のファン２６の向きの変更操作のためのグラフィカルインタフェースと、現在の第１のファン２４および第２のファン２６の向きに対応するプロジェクタ内部の空気の流れ（たとえば、吸気口２８，３０，３２付近と排気口３４付近の空気の流れ）と、第１〜第４の温度センサ９７，９１，９３，９５で検出された温度に基づくプロジェクタ内部の温度（たとえば、プロジェクタ内部をブロックに分割したときの各ブロックの温度）とを表わす第２の画像を生成する。画像処理部９６は、ファン制御モード時には、第１の画像の上に第２の画像を重畳した画像を出力し、ファン非制御モード時には、第１の画像を出力する。
【００４９】
光源１６から出力された光は、投光ユニット１８に送られる。
投光ユニット１８は、画像処理部９６から出力される画像に従って光源１６から出力される光を空間的に変調し、前方に配置されたスクリーンに投射する。投光ユニット１８は、具体的には、ＤＭＤ２０（Digital Mirror Device）および投射レンズ２２を含む。ＤＭＤ２０は、個別に制御される複数のマイクロミラーを備える。各ミラーは１画素に相当する。ミラーは、オンのときには光源１６からの光を外部に反射し、オフのときには光源１６からの光を外部に反射しない。
【００５０】
ファン制御モード時には、第１の画像の上に第２の画像が重畳された画像に従って光が空間的に変調されることにより、ビデオまたはパソコンの画像（第１の画像）の上に第２の画像がオンスクリーン表示される。また、ファン非制御モード時には、第１の画像に従って光が空間的に変調されることにより、ビデオまたはパソコンの画像（第１の画像）が表示される。
【００５１】
第１のファン２４および第２のファン２６は、吸気口２８，３０，３２から筐体内部に流入した空気を、光源１６および光源１６の周辺部に送る。空気は、光源１６および光源１６の周辺部を冷却した後、排気口３４から排出される。第１のファン２４および第２のファン２６は、ファン制御モード時には、ＣＰＵ９０からの指示にしたがって、その向きを変更する。
【００５２】
ＣＰＵ９０は、ファン制御モードとファン非制御モードの切替えを行なう。具体的には、ＣＰＵ９０は、ファン制御ボタン４２がオンにされると、ファン制御モードに切替え、ファン制御ボタン４２がオフにされると、ファン非制御モードに切替える。
【００５３】
ＣＰＵ９０は、ファン制御モードにおいて、さらに第１のファン２４および第２のファン２６の制御を手動で行なうマニュアルモードと、第１のファン２４および第２のファン２６の制御を第１の温度センサ９７の検出信号に基づいて自動で行なう自動モードの切替えを行なう。具体的には、ＣＰＵ９０は、タッチパッド４０および左ボタン３６を通じてマニュアルモードが選択されると、第１のファン２４および第２のファン２６の制御をマニュアルモードに設定し、タッチパッド４０および左ボタン３６を通じて自動モードが選択されると、第１のファン２４および第２のファン２６の制御を自動モードに設定する。
【００５４】
ＣＰＵ９０は、ファン制御モード時には、現在の第１のファン２４および第２のファン２６の向きに対応するプロジェクタ内部の空気の流れを表わすデータをメモリ８から読み出して、画像処理部９６に出力する。また、ＣＰＵ９０は、ファン制御モード時には、第１〜第４の温度センサ９７，９１，９３，９５で検出された温度に対応するプロジェクタの内部の温度をメモリ８から読み出して、画像処理部９６に出力する。
【００５５】
ＣＰＵ９０は、自動モード時には、第１の温度センサ９７で検出された温度に対応する第１のファン２４および第２のファン２６の最適な向きを表わすデータをメモリ８から読み出して、その向きに第１のファン２４および第２のファン２６の方向が一致するように、それぞれのモータ５０を制御して第１のファン２４および第２のファン２６を軸５６の回りに回転させる。
【００５６】
ＣＰＵ９０は、マニュアルモード時には、ユーザが指定した向きに第１のファン２４および第２のファン２６の方向が一致するように、それぞれのモータ５０を制御して第１のファン２４および第２のファン２６を軸５６の回りに回転させる。
【００５７】
メモリ８は、第１のファン２４および第２のファン２６の向きに対応するプロジェクタの内部の空気の流れを表わすデータ、第１〜第４の温度センサ９７，９１，９３，９５で検出された温度に対応するプロジェクタの内部の温度、および第１の温度センサ９７で検出された温度に対応する第１のファン２４および第２のファン２６の最適な向きを表わすデータを記憶する。これらのデータは、予め実験、または流体シミュレーションによって導出されたものである。
【００５８】
図７（ａ）〜（ｃ）は、図６のプロジェクタの各部の配置を表わす図である。
図７（ａ）〜（ｃ）を参照して、プロジェクタの前方に排気口３４が設けられ、３つの吸気口２８，３０，３２が左右、後方に設けられている。第１の温度センサ９７は、光源１６の周辺に配置され、第２の温度センサ９１は、吸気口２８周辺に配置され、第３の温度センサ９３は、吸気口３０周辺に配置され、第４の温度センサ９５は、吸気口３２周辺に配置される。第１のファン２４および第２のファン２６は、光源１６の近辺に配置されている。図７（ａ）は、通常時の第１のファン２４および第２のファン２６の向きを表わす。図７（ｂ）は、マニュアルまたは温度に基づく自動制御で第１のファン２４の向きが変化した状態を表わす。図７（ｃ）は、マニュアルまたは温度に基づく自動制御で第１のファン２４および第２のファン２６の向きが変化した状態を表わす。
【００５９】
図８（ａ）〜（ｃ）は、ファン制御モード時に、オンスクリーン表示される第２の画像を表わす図である。図８（ａ）〜（ｃ）を参照して、第２の画像は、グラフィカルインタフェース６２ａと、現在の第１のファン２４および第２のファン２６の向きに対応するプロジェクタ内部の空気の流れと、第１〜第４の温度センサ９７，９１，９３，９５で検出された温度に対応するプロジェクタの内部の温度を表わす。図８（ａ）〜（ｃ）では、プロジェクタの内部が５つのブロックに分割されて、各ブロックの温度が色を用いて表わされる。具体的には、温度が高いブロックの色は赤色で表わし、温度が低いブロックの色は青色で表わし、温度が中間のブロックの色は黄色で表わすものとしてもよい。
【００６０】
図８（ａ）は、第１のファン２４および第２のファン２６の向きを０度に設定したとき（通常時である、正面方向に向かう向き）の空気の流れ７４ａおよび各ブロックの温度８１ａ，８２ａ，８３ａ，８４ａ，８５ａを表わす。図８（ｂ）は、第１のファン２４の向きを＋５度に設定し、かつ第２のファン２６の向きを０度に設定したときの空気の流れ７４ｂおよび各ブロックの温度８１ｂ，８２ｂ，８３ｂ，８４ｂ，８５ｂを表わす。図８（ｃ）は、第１のファン２４および第２のファン２６の向きを＋５度に設定したときの空気の流れ７４ｃおよび各ブロックの温度８１ｃ，８２ｃ，８３ｃ，８４ｃ，８５ｃを表わす。
【００６１】
このように、ユーザは、プロジェクタ内部の温度とともに、第１のファン２４および第２のファン２６の向きを変更した場合に、空気の流れがどのように変化するかを視覚で認識することができるので、たとえば、温度の高い箇所を冷却するために、第１のファン２４および第２のファン２６の向きをどのように変えればよいかを知ることができる。
【００６２】
（動作手順）
図９は、第２の実施形態のプロジェクタの動作手順を表わすフローチャートである。
【００６３】
図９を参照して、まず、ユーザがファン制御ボタン４２をオンにしない場合には（ステップＳ２００でＮＯ）、画像処理部９６および投光ユニット１８によって、ビデオまたはパソコンの画像である第１の画像が表示される（ステップＳ２０１）。ユーザがファン制御ボタン４２をオンにすると（ステップＳ２００でＹＥＳ）、ＣＰＵ９０は、ファン制御モード（そのうちのマニュアルモード）に設定する（ステップＳ２０２）。ＣＰＵ９０、画像処理部９６および投光ユニット１８によって、ユーザによる第１のファン２４および第２のファン２６の向きの変更操作のためのグラフィカルインタフェースと、現在の第１のファン２４および第２のファン２６の向き（つまり、０度）に対応するプロジェクタの空気の流れと、第１〜第４の温度センサ９７，９１，９３，９５で検出された温度に基づくプロジェクタ内部の温度とを表わす第２の画像がオンスクリーン表示される（ステップＳ２０３）。
【００６４】
ユーザが、タッチパッド４０と左ボタン３６を通じて、マニュアルモードから自動モードに選択を切り替えると（ステップＳ２０４でＹＥＳ）、ＣＰＵ９０は、モードを自動モードに切替える（ステップＳ２０５）。ＣＰＵ９０は、第１の温度センサ９７で検出された温度に対応する第１のファン２４および第２のファン２６の最適な向きをメモリ８から読み出して、その向きに第１のファン２４および第２のファン２６の方向が一致するように、それぞれのモータ５０を制御して第１のファン２４および第２のファン２６を軸５６の回りに回転させる（ステップＳ２０６）。
【００６５】
一方、マニュアルモード時において、ユーザがタッチパッド４０と左ボタン３６を通じて、第１のファン２４および第２のファン２６の向きの変更を指定すると（ステップＳ２０７でＹＥＳ）、ＣＰＵ９０は、ユーザが指定した向きに第１のファン２４および第２のファン２６の方向が一致するように、それぞれのモータ５０を制御して第１のファン２４および第２のファン２６を軸５６の回りに回転させる（ステップＳ２０８）。
【００６６】
その後、ＣＰＵ９０、画像処理部９６および投光ユニット１８によって、ユーザによる第１のファン２４および第２のファン２６の向きの変更操作のためのグラフィカルインタフェースと、現在の第１のファン２４および第２のファン２６の向きに対応するプロジェクタ内部の空気の流れと、第１〜第４の温度センサ９７，９１，９３，９５で検出された温度に基づくプロジェクタ内部の温度とを表わす第２の画像がオンスクリーン表示される（ステップＳ２０９）。
【００６７】
以上のように、第２の実施形態のプロジェクタによれば、ユーザの指示にしたがってファンの向きを変更可能とし、かつプロジェクタ内部の温度とともに、ファンの向きに対するプロジェクタ内部の空気の流れを表示するので、プロジェクタ外部の吸気口または排気口３４付近に障害物があって、空気の流れが遮られており、プロジェクタ内部のその付近の箇所が冷却されない場合でも、ユーザは、マニュアル操作によってファンの向きを適切に調整することができる。
【００６８】
（変形例）
本発明は、上記の実施の形態に限定されるものではなく、たとえば以下のような変形例を含む。
【００６９】
（１）  本発明の実施形態では、光を空間的に変調する素子としてＤＭＤを用いたが、これに限定するものではなく、液晶パネルであってもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】第１の実施形態のプロジェクタの構成を表わす図である。
【図２】第１のファンの構造を表わす図である。
【図３】（ａ）〜（ｃ）は、図１のプロジェクタの各部の配置を表わす図である。
【図４】（ａ）〜（ｃ）は、ファン制御モード時に、オンスクリーン表示される第２の画像を表わす図である。
【図５】第１の実施形態のプロジェクタの動作手順を表わすフローチャートである。
【図６】第２の実施形態のプロジェクタの構成を表わす図である。
【図７】（ａ）〜（ｃ）は、図６のプロジェクタの各部の配置を表わす図である。
【図８】（ａ）〜（ｃ）は、ファン制御モード時に、オンスクリーン表示される第２の画像を表わす図である。
【図９】第２の実施形態のプロジェクタの動作手順を表わすフローチャートである。
【符号の説明】
【００７２】
２  メインボード、４  Ａ／Ｄ変換部、６，９６  画像処理部、８  メモリ、１０，９０  ＣＰＵ、１２  温度センサ、１４  操作入力部、１６  光源、１８  投光ユニット、２０  ＤＭＤ、２２  投射レンズ、２４  第１のファン、２６  第２のファン、２８，３０，３２  吸気口、３４  排気口、３６  左ボタン、３８  右ボタン、４０  タッチパッド、４２  ファン制御ボタン、５０  モータ、５２  ウオームギア、５４  歯車、５６  軸、５８  ベース、６２ａ，６２ｂ，６２ｃ  グラフィカルインタフェース、６４ａ，６４ｂ，６４ｃ，７４ａ，７４ｂ，７４ｃ  空気の流れ、８１ａ，８１ｂ，８１ｃ，８２ａ，８２ｂ，８２ｃ，８３ａ，８３ｂ，８３ｃ，８４ａ，８４ｂ，８４ｃ，８５ａ，８５ｂ，８５ｃ  温度分布、９１  第２の温度センサ、９３  第３の温度センサ、９５  第４の温度センサ、９７  第１の温度センサ。
【図１】
2008309953.tif 000003
【図２】
2008309953.tif 000004
【図３】
2008309953.tif 000005
【図４】
2008309953.tif 000006
【図５】
2008309953.tif 000007
【図６】
2008309953.tif 000008
【図７】
2008309953.tif 000009
【図８】
2008309953.tif 000010
【図９】
2008309953.tif 000011